(57)【要約】【課題】  パイプにシートを固定し、かつその固定状態を維持可能なシート固定具の提供。【解決手段】  断面円弧状の筒状本体１と、この本体１の周方向両端部２，３同士を近接させるように、本体１の外周面にはめ込まれる締付バネ１５と、本体１の周方向両端部２，３の内周面に設けられる滑り止め材２０，２０とを主要部に備える。本体１の周方向他端部３には、膨出部８，８が、本体１の軸方向に離間して２ヶ所形成されている。膨出部８の下端部には、本体１の軸方向に沿って形成された凹溝状の係止部１０が形成されている。締付バネ１５の中央辺１８が本体１の係止部１０と係合することで、本体１の周方向両端部２，３が近接し、滑り止め材２０，２０が本体１内に収容されたパイプにシートを押し付ける。【選択図】      図１
2007120134.tif 000002
【特許請求の範囲】
【請求項１】
パイプにシートを固定するシート固定具であって、
断面円弧状の筒状本体と、
この本体の周方向両端部同士を近接させるように、本体の外周面にはめ込まれる締付バネと、
本体の周方向両端部の内周面に設けられる滑り止め材と
を備えることを特徴とするシート固定具。
【請求項２】
前記締付バネは、前記本体の外周面に沿ってはめ込まれる円弧状に形成されており、
その周方向一端部が本体に回転可能に保持される一方、周方向他端部が本体に形成された係止部に係脱可能とされる
ことを特徴とする請求項１に記載のシート固定具。
【発明の詳細な説明】
【技術分野】
【０００１】
本発明は、パイプにシートを固定するために使用されるシート固定具に関するものであり、特に寒冷地における建設現場において、コンクリート打ちの現場を密閉するために使用される養生シートを固定するために使用される。
【背景技術】
【０００２】
北海道の様な寒冷地の場合、冬季（１０月〜２月）にコンクリート打ちを行うと、寒さによりコンクリートが乾く前にコンクリートに含まれる水が凍るため、温度を５度以上に保つ必要がある。この場合、シートを紐でパイプに固定すると、隙間が出来てしまい温度を安定させることが難しい。
なお、建設現場において、パイプにシートを固定するために、下記特許文献１に示されるジョイントが使用されている。
【特許文献１】特開平１０−１１５０９８号公報
【発明の開示】
【発明が解決しようとする課題】
【０００３】
しかしながら、特許文献１に示されるジョイントの場合、その本体の内周面だけがシートと接触する。ジョイントの本体は、樹脂により形成されていることから、本体の内周面は滑らかであり、シートの表面も滑らかである。このため、シートを介してパイプにジョイントをはめ込んだ後、シートに強い力がかかった場合、シートがパイプから滑り出るおそれがあり、寒冷地における養生シート固定用として十分な固定力が得られなかった。
【０００４】
本発明は、上記事情に鑑みてなされたものであり、その主たる目的は、寒冷地における養生シート張りの際に、養生シートをパイプに十分な固定力で固定可能なシート固定具を提供することにある。
【課題を解決するための手段】
【０００５】
この発明は、前記課題を解決するためになされたものであり、請求項１に記載の発明は、パイプにシートを固定するシート固定具であって、断面円弧状の筒状本体と、この本体の周方向両端部同士を近接させるように、本体の外周面にはめ込まれる締付バネと、本体の周方向両端部の内周面に設けられる滑り止め材とを備えることを特徴とする。
【０００６】
請求項２に記載の発明は、前記締付バネは、前記本体の外周面に沿ってはめ込まれる円弧状に形成されており、その周方向一端部が本体に回転可能に保持される一方、周方向他端部が本体に形成された係止部に係脱可能とされることを特徴とする請求項１に記載のシート固定具である。
【発明の効果】
【０００７】
本発明のシート固定具によれば、シートを被せたパイプに取り付けた状態で、シートに強い力がかかったりした場合でも、シートがパイプから滑り出るおそれがなく、寒冷地におけるコンクリートの養生シート固定用として十分な固定力が得られる。
【発明を実施するための最良の形態】
【０００８】
以下、本発明のシート固定具について、実施例に基づき更に詳細に説明する。
【０００９】
図１は、本発明のシート固定具の一実施例を示す斜視図であり、締付バネの係合を解除した状態を示している。また、図２は、図１のシート固定具の正面図であり、図３は、図１のシート固定具の背面図であり、図４は、図１のシート固定具の右側面図であり、図５は、図２のＡ―Ａ断面図である。なお、図２〜図５は、締付バネを本体に係合した状態を示している。
【００１０】
本実施例のシート固定具は、断面円弧状の筒状本体１と、この本体１の周方向両端部２，３同士を近接させるように、本体１の外周面にはめ込まれる締付バネ１５と、本体１の周方向両端部２，３の内周面に設けられる滑り止め材２０，２０とを主要部に備える。
【００１１】
本実施例のシート固定具の本体１は、具体的には、断面略Ｃ字形の筒状とされ、その周方向両端部２，３が近接および離間可能な可撓性を有する。なお、本体１の周方向両端部２，３は、若干厚肉に形成されている。本体１の素材は特に限定されるものではないが、ナイロン系、ポリエチレン系等の合成樹脂が好適に使用されるが、中でも耐寒性、耐候性に優れたポリプロピレン系の合成樹脂が最も好適に使用される。
【００１２】
この本体１の軸方向両端部には、その周方向中央部に、矩形状の突起部５，５が径方向外側へ突出してそれぞれ形成されている。この突起部５には、本体１の軸方向外側および径方向内側へ開口する矩形状の凹部６が形成されている。
そして、本体１の外周面には、その軸方向両端部から若干内側に、径方向外側へ突出して帯状のリブ１ａ，１ａが周方向に沿ってそれぞれ形成されている。
【００１３】
また、本体１の外周面には、膨出部８，８が形成されている。本実施例では、膨出部８は、本体１の周方向他端部３に、軸方向に離間して２ヶ所形成されている。各膨出部８は、本体１の周方向中央部付近から周方向他端部３側へ行くに従って、徐々にその厚みを増すように本体１と一体に形成されており、湾曲した傾斜面状に形成されている。
【００１４】
なお、本実施例の膨出部８は、図２に示されるように正面視において、本体１の周方向に沿う細長い略長方形状に形成されている。そして、各膨出部８の内側の各一辺８ａは、本体１の周方向に沿って形成されている。また、各膨出部８の外側の各一辺８ｂは、その下端部（本体１の周方向他端部３側）が本体１の軸方向外側へ若干傾斜しており、各膨出部８の外側の一辺８ｂ，８ｂによりハの字形を構成する。
【００１５】
この膨出部８の下端部（本体１の周方向他端部３側）には、係止部１０が形成されている。本実施例の係止部１０は、本体１の軸方向に沿って形成された凹溝とされる。
【００１６】
また、本体１の周方向一端部２には、軸方向に離間して２ヶ所に取付部１２，１２が設けられている。この取付部１２は、本体１の軸方向外側にのみ開口する筒状とされる。
【００１７】
本体１には、その周方向両端部２，３同士を近接させる締付バネ１５が設けられる。本実施例では、本体１に締付バネ１５が一つ設けられる。
本実施例の締付バネ１５は、たとえばＳＵＳ等の金属線材により略コ字形に形成されており、その開放両端辺１６，１６は、本体１の外径より若干小径な略半円弧状に湾曲して形成されている。締付バネ１５の開放両端辺１６，１６は、その先端側へ行くに従って互いに近接するように若干傾斜されており、図２に示されるように、締付バネ１５の開放両端辺１６，１６はハの字形に形成されている。また、締付バネ１５の開放両端辺１６の先端部１７は、それぞれ対向するように内側へ略Ｌ字形状に屈曲されている。そして、この先端部１７が、本体１の取付部１２の穴１２ａにそれぞれ差し込まれることで、締付バネ１５が本体１に回転可能に設けられる。
【００１８】
締付バネ１５の中央辺１８は、本体１の係止部１０にはめ込まれて係合可能とされる。また、中央辺１８の軸方向中央部１９は、開放両端辺１６，１６の径方向外側へ三角形状に屈曲されている。
【００１９】
本体１の周方向両端部２，３の内周面には、滑り止め材２０，２０がそれぞれ設けられる。本実施例の滑り止め材２０は、ゴムなどの弾性素材により細長い帯状に形成されており、本体１の軸方向に沿って設けられる。
【００２０】
滑り止め材２０は、裏面側へ行くに従って幅方向両側に拡がる断面略台形状とされる。また、滑り止め材２０の表面２０ａは、円弧状に形成されている。
この滑り止め材２０は、本体１の周方向両端部２，３の内周面に軸方向に沿って形成された溝２３，２３に差し込まれることで、本体１に固定される。滑り止め材２０を本体１に取り付けた状態では、滑り止め材２０の表面２０ａは、本体１の内周面から円弧状に若干突出している。
【００２１】
なお、本体１に形成された溝２３の軸方向両端部は、本体１の軸方向両端面において開口しており、この開口端部から滑り止め材２０を溝２３に沿ってスライドさせていくことで、容易に滑り止め材２０を本体１に装着することができる。また、滑り止め材２０は、弾性素材により形成されていることから、本体１の溝２３に押し込むことで弾性変形し、溝２３内に収容されて本体１に装着することも可能である。
【００２２】
このような構成の本実施例のシート固定具により、シートをパイプに固定する方法について説明する。図６は、本実施例のシート固定具の使用状態を示す断面図である。
【００２３】
まず、締付バネ１５が本体１の係止部１０と係合していない状態（図６における二点鎖線の状態）で、本体１の周方向両端部２，３間に沿って、シート３０が被せられたパイプ３２を配置し、本体１をパイプ３２に対して押し込む。本体１は可撓性を有していることから、本体１を押し込むことにより、本体１の周方向両端部２，３が一時的に離間して、本体１内にパイプ３２およびシート３０が収容される。
【００２４】
次に、締付バネ１５を先端部１７，１７（本体１の取付部１２）まわりに回転させて、その中央辺１８を本体１の係止部１０に係合させればよい。締付バネ１５を回転させることで、その中央辺１８は膨出部８に乗り上げて本体１の周方向他端部３側へ移動する。この際、締付バネ１５は、バネ力に対抗して拡径しながら膨出部８に沿って移動する。そして、締付バネ１５を回転させていくことで、中央辺１８は、膨出部８に形成された係止部１０にはめ込まれて係合する。具体的には、中央辺１８の軸方向中央部に形成された三角形状の屈曲部１９の両側が、それぞれ膨出部８，８の係止部１０，１０にはめ込まれて係合する。
【００２５】
このように、締付バネ１５を本体１の係止部１０に係合させることで、締付バネ１５が本体１の周方向両端部２，３を挟み込むこととなり、本体１の周方向両端部２，３は近接する。これにより、本体１の内径が縮径して、本体１がシート３０をパイプ３２に押え付けることになる。
なお、締付バネ１５のバネ効果を高めるために、係止部１０を直径位置に近い箇所に形成するのが好ましい。つまり、係止部１０と取付部１２を本体１の直径方向両端部に形成するのが好ましい。
【００２６】
ところで、本実施例のシート固定具がパイプ３２に取り付けられた際、滑り止め材２０，２０は、図６において、パイプ３２の中心を通る水平線（Ｘ―Ｘ線）より下方にそれぞれ配置される。また、図４および図６における側面視において、各滑り止め材２０の表面２０ａは、逆ハの字形に向けられて配置されている。
【００２７】
このような構成により、シート固定具がパイプ３２に取り付けられた状態では、滑り止め材２０がシート３０をパイプ３２に強固に押し付けることになり、シート３０がパイプ３２から滑り出難い。つまり、図６において、滑り止め材２０がシート３０をパイプに対して下方から斜め上方へ押し付けていることで、シート３０に引っ張る力が負荷されても、滑り止め材２０との摩擦力によりシート３０がパイプ３２から滑り出難い。
【００２８】
このように、本実施例では、本体１に滑り止め材２０を設けていることで、滑り止め材２０がない場合に比べて、シート３０に対するグリップ力が増し、風圧でパイプ３２に対してシート３０がズレることがない。
また、滑り止め材２０は、ゴムなどの弾性材により形成されていることで、シート固定具をパイプ３２に装着する際などに、シート３０を傷つけることもない。
【００２９】
このように取り付けた本実施例のシート固定具をパイプ３２から取り外す際には、まず、締付バネ１５の係合を解除する。この際、締付バネ１５の中央辺１８に形成された前記屈曲部１９にたとえばマイナスドライバーを差し込んで本体１の係止部１０から中央辺１８を引き上げることで、係合を容易に解除することができる。
【００３０】
そして、締付バネ１５の係合を解除した後、パイプ３２から本体１を取り外せばよい。この際には、本体１の突起部５の凹部６に、たとえばマイナスドライバーなどを差し込んでパイプ３２から本体１を引き上げることで、パイプ３２から本体１を容易に取り外すことができる。
【００３１】
本発明のシート固定具は、上記実施例の構成に限らず、適宜変更可能である。
例えば、上記実施例では、本体１に弾性素材で形成された滑り止め材２０を設けたが、本体１を樹脂で成型加工する際に、本体１の周方向両端部２，３の内周面に凹凸を一体的に形成して滑り止め材とすることも可能である。
また、上記実施例では、本体１に締付バネ１５を一つだけ設けたが、二つなどにしてもよく、その個数は任意に変更可能である。
【００３２】
さらに、上記実施例では、締付バネ１５の開放両端辺１６，１６を、本体１の外径より若干小径な略半円弧状に形成し、締付バネ１５の中央辺１８が本体１の係止部１０と係合した際に、本体１の周方向両端部２，３が近接する構成とした。しかしながら、締付バネ１５の中央辺１８が、本体１の係止部１０に係合した際に、本体１の周方向両端部２，３同士が近接する構成であれば、締付バネ１５の形状、特に、開放両端辺１６，１６の形状は適宜変更可能である。
【図面の簡単な説明】
【００３３】
【図１】本発明のシート固定具の一実施例を示す斜視図であり、締付バネの係合を解除した状態を示している。
【図２】図１のシート固定具の正面図である。
【図３】図１のシート固定具の背面図である。
【図４】図１のシート固定具の右側面図である。
【図５】図２のＡ―Ａ断面図である。
【図６】図１のシート固定具の使用状態を示す断面図である。
【符号の説明】
【００３４】
１  本体
５  突起部
１０  係止部
１２  取付部
１５  締付バネ
２０  滑り止め材
【図１】
2007120134.tif 000003
【図２】
2007120134.tif 000004
【図３】
2007120134.tif 000005
【図４】
2007120134.tif 000006
【図５】
2007120134.tif 000007
【図６】
2007120134.tif 000008